(57)【特許請求の範囲】
【請求項１】
電子機器が、放送が予定される複数のチャンネルに対応する複数の番組の情報を取得し、
前記電子機器が、番組の情報と番組の選択の条件を示す情報とに基づいて、複数の時間帯ごとに、各時間帯の前記複数のチャンネルに対応する複数の番組の中から、少なくとも一つの第一の番組を選択し、
前記電子機器が、通信ネットワーク経由で配信される複数の番組の情報を、取得し、
前記電子機器が、前記通信ネットワーク経由で配信される複数の番組の中から、番組の情報と番組の選択の条件を示す情報とに基づいて、少なくとも一つの第二の番組を選択し、
前記電子機器が、前記選択された少なくとも一つの第一の番組の情報が当該第一の番組の放送時間に応じて配置された第一の表示欄と、前記第一の表示欄と平行に配置され、前記選択された少なくとも一つの第二の番組の情報が、当該第二の番組の時間長よりも短い時間間隔で配置された第二の表示欄と、を含む番組表を、表示部で表示するための情報を出力する、方法。
【請求項２】
少なくとも一部が同じ時間に並行して放送される複数の番組が選択された場合には、前記電子機器が、一つの前記第一の表示欄に、前記少なくとも一部が同じ時間に並行して放送される複数の番組があることを示す表示要素が含まれるよう、前記番組表を表示部で表示するための情報を出力する、請求項１に記載の方法。
【請求項３】
少なくとも一部が同じ時間に並行して放送される複数の番組が選択された場合には、前記電子機器が、当該少なくとも一部が同じ時間に並行して放送される複数の番組がある旨を、番組を表示する第二の表示部で表示するための情報を出力する、請求項１に記載の方法。
【請求項４】
放送が予定される複数のチャンネルに対応する複数の番組の情報を取得する第一の取得部と、
番組の情報と番組の選択の条件を示す情報とに基づいて、複数の時間帯ごとに、各時間帯の前記複数のチャンネルに対応する複数の番組の中から、少なくとも一つの第一の番組を選択する第一の選択部と、
通信ネットワーク経由で配信される複数の番組の情報を、取得する第二の取得部と、
前記通信ネットワーク経由で配信される複数の番組の中から、番組の情報と番組の選択の条件を示す情報とに基づいて、少なくとも一つの第二の番組を選択する第二の選択部と、
前記選択された少なくとも一つの第一の番組の情報が当該第一の番組の放送時間に応じて配置された第一の表示欄と、前記第一の表示欄と平行に配置され、前記選択された少なくとも一つの第二の番組の情報が、当該第二の番組の時間長よりも短い時間間隔で配置された第二の表示欄と、を含む番組表を、表示部で表示するための情報を出力する出力部と、
を備えた、電子機器。
【請求項５】
少なくとも一部が同じ時間に並行して放送される複数の番組が選択された場合には、一つの前記第一の表示欄に、前記少なくとも一部が同じ時間に並行して放送される複数の番組があることを示す表示要素が含まれる、請求項４に記載の電子機器。
【請求項６】
少なくとも一部が同じ時間に並行して放送される複数の番組が選択された場合には、当該少なくとも一部が同じ時間に並行して放送される複数の番組がある旨を、番組を表示する第二の表示部で表示するための情報を出力する第二の出力部を備えた、請求項４に記載の電子機器。
【請求項７】
コンピュータに、
放送が予定される複数のチャンネルに対応する複数の番組の情報を取得すること、
番組の情報と番組の選択の条件を示す情報とに基づいて、複数の時間帯ごとに、各時間帯の前記複数のチャンネルに対応する複数の番組の中から、少なくとも一つの第一の番組を選択すること、
通信ネットワーク経由で配信される複数の番組の情報を、取得すること、
前記通信ネットワーク経由で配信される複数の番組の中から、番組の情報と番組の選択の条件を示す情報とに基づいて、少なくとも一つの第二の番組を選択すること、および、
前記選択された少なくとも一つの第一の番組の情報が当該第一の番組の放送時間に応じて配置された第一の表示欄と、前記第一の表示欄と平行に配置され、前記選択された少なくとも一つの第二の番組の情報が、当該第二の番組の時間長よりも短い時間間隔で配置された第二の表示欄と、を含む番組表を、表示部で表示するための情報を出力すること、
を実行させるためのプログラム。
【請求項８】
少なくとも一部が同じ時間に並行して放送される複数の番組が選択された場合には、一つの前記第一の表示欄に、前記少なくとも一部が同じ時間に並行して放送される複数の番組があることを示す表示要素が含まれる、請求項７に記載のプログラム。
【請求項９】
少なくとも一部が同じ時間に並行して放送される複数の番組が選択された場合には、さらに、コンピュータに、当該少なくとも一部が同じ時間に並行して放送される複数の番組がある旨を、番組を表示する第二の表示部で表示するための情報を出力することを実行させる、請求項７に記載のプログラム。 
【発明の詳細な説明】
【技術分野】
【０００１】
本発明の実施形態は、方法、電子機器、およびプログラムに関する。
【背景技術】
【０００２】
従来、テレビジョン受像機や携帯端末で番組表を表示する技術が知られている。
【先行技術文献】
【特許文献】
【０００３】
【特許文献１】特開２００６−２２９９４７号公報
【発明の概要】
【発明が解決しようとする課題】
【０００４】
この種の技術では、一例としては、ユーザにとってより便利な番組表が得られれば、有意義である。
【課題を解決するための手段】
【０００５】
本発明の実施形態にかかる方法は、一例として、電子機器が、放送が予定される複数のチャンネルに対応する複数の番組の情報を取得し、電子機器が、番組の情報と番組の選択の条件を示す情報とに基づいて、複数の時間帯ごとに、各時間帯の複数のチャンネルに対応する複数の番組の中から、少なくとも一つの第一の番組を選択し、電子機器が、通信ネットワーク経由で配信される複数の番組の情報を、取得し、電子機器が、通信ネットワーク経由で配信される複数の番組の中から、番組の情報と番組の選択の条件を示す情報とに基づいて、少なくとも一つの第二の番組を選択し、電子機器が、選択された少なくとも一つの第一の番組の情報が当該第一の番組の放送時間に応じて配置された第一の表示欄と、第一の表示欄と平行に配置され、選択された少なくとも一つの第二の番組の情報が、当該第二の番組の時間長よりも短い時間間隔で配置された第二の表示欄と、を含む番組表を、表示部で表示するための情報を出力する。
【図面の簡単な説明】
【０００６】
【図１】図１は、実施形態にかかるシステムの一例の概略構成が示された説明図である。
【図２】図２は、実施形態にかかる電子機器の一例が示されたブロック図である。
【図３】図３は、実施形態にかかる電子機器の一例が示されたブロック図である。
【図４】図４は、実施形態にかかる方法における処理の一例が示されたフローチャートである。
【図５】図５は、実施形態にかかる方法によって電子機器で表示された番組表の一例が示された図である。
【図６】図６は、実施形態にかかる方法によって電子機器で表示された番組表の別の一例が示された図である。
【図７】図７は、実施形態にかかる方法によって電子機器で表示された番組表のさらに別の一例が示された図である。
【図８】図８は、実施形態にかかる方法によって電子機器で表示された番組表の別の一例が示された図である。
【図９】図９は、実施形態にかかる方法によって電子機器で表示された番組表のさらに別の一例が示された図である。
【図１０】図１０は、実施形態にかかる方法によって、番組が表示される表示部で表示された、少なくとも一部が同じ時間に並行して放送される複数の番組がある旨を示す情報の一例が示された図である。
【発明を実施するための形態】
【０００７】
以下の実施形態および変形例には、同様の構成要素が含まれる。それら同様の構成要素には共通の符号が付与されるとともに、重複する説明が省略される。同様の構成要素を備えた実施形態および変形例では、当該同様の構成要素に基づく同様の結果（効果）が得られる。なお、本明細書中の、第一，第二等の序数は、構成要素等を便宜上区別するために付与されており、処理の順序や、優先度、重要度等を意味するものではない。
【０００８】
本実施形態では、図１に示されるように、システムには、例えば、番組表サーバ１０（サーバ、電子機器、装置）や、電子機器２０，３０（装置、表示装置）、番組情報サーバ４０，５０（サーバ、電子機器、装置）等が含まれている。これら番組表サーバ１０や、電子機器２０，３０、番組情報サーバ４０，５０は、例えば、有線あるいは無線の通信ネットワーク６０（電気通信回線）を介して通信可能に接続されている。通信ネットワーク６０は、例えば、ルータや、基地局装置、アクセスポイント等の機器ならびにケーブル等（図示されず）を含んでいる。番組表サーバ１０や、電子機器２０，３０、番組情報サーバ４０，５０は、通信ネットワーク６０を介して、それら相互間で、所定の通信プロトコルにしたがって、種々のデータ（情報）の授受（通信）を実行することができる。
【０００９】
番組表サーバ１０は、通信ネットワーク６０を介して、番組表（電子番組表）の元となるデータを、電子機器２０，３０へ送信する。番組表の元となるデータは、番組表を、表示出力装置７１や表示部３３で表示するための情報（番組表情報）のデータである。番組表の元となるデータには、例えば、放送のチャンネルの情報（チャンネル情報）や、番組の情報（番組情報）等のデータが含まれる。
【００１０】
番組情報サーバ４０，５０は、通信ネットワーク６０を介して、番組情報のデータを、番組表サーバ１０へ送信する。番組情報サーバ４０は、例えば、各放送局（放送局１、放送局２、・・・）に設けられたあるいは各放送局に関連したサーバである。また、番組情報サーバ５０は、例えば、各ＶＯＤ（video on demand）プロバイダ（ＶＯＤプロバイダ１、ＶＯＤプロバイダ２、・・・）に設けられたあるいは各ＶＯＤプロバイダに関連したサーバである。番組情報サーバ４０は、番組表サーバ１０に、放送の番組情報のデータを送信する。番組情報サーバ５０は、番組表サーバ１０に、ＶＯＤの番組情報（コンテンツの情報）のデータを送信する。また、番組表サーバ１０は、番組表の元となるデータ（番組表情報）が提供され番組表が表示される電子機器２０，３０に対応した電子機器２０，３０から、番組に関連した情報（番組関連情報、メタ情報、属性情報、例えば、番組の人気度や、視聴回数、録画回数、要求回数、それらの順位等を示す情報）のデータを、取得することができる。具体的には、例えば、電子機器２０，３０の記憶部（図示されず）には、番組毎あるいは番組のジャンルに対応付けて、視聴回数や、録画回数、要求回数等のログ（履歴情報）が記憶されている。また、例えば、番組表が表示される電子機器２０，３０の記憶部には、当該電子機器２０，３０に対応した電子機器２０，３０の識別データ（例えば、ＩＰアドレス等）が記憶（登録、設定）されている。番組表サーバ１０は、当該識別データに対応する電子機器２０，３０からログを取得し、当該ログに基づいて、当該電子機器２０，３０に対応した番組に関連した情報を取得あるいは生成することができる。なお、ログを取得する対象となる電子機器２０，３０の識別データは、番組表のアプリケーションのＩＤや、アカウントに対応付けて記憶（登録、設定）されうる。また、当該識別データは、電子機器２０，３０や、番組表サーバ１０、その他の機器等の記憶部（図示されず）に、記憶されることができる。また、番組表サーバ１０は、番組情報サーバ４０，５０から、番組に関連した情報（番組関連情報、メタ情報、属性情報、例えば、番組の人気度や、視聴装置数、視聴率、視聴回数、要求回数、それらの順位等を示す情報）のデータを、取得することもできる。
【００１１】
電子機器２０は、番組（コンテンツ）等のデータを含む（が乗せられた）放送波を受信することができる。また、電子機器２０は、出力装置７０を制御したり、出力装置７０に映像データ（画像データ）や音声データを送ったりすることができる。出力装置７０は、番組の映像や音声を出力することができる。電子機器２０は、例えば、テレビジョン受像機２１や、レコーダ２２、ホームターミナル（図示されず）、パーソナルコンピュータ（図示されず）等である。出力装置７０は、表示出力装置７１（表示部、第二の表示部、例えばディスプレイパネル）や音声出力装置７２（音声出力部、例えばスピーカ）等である。出力装置７０は、電子機器２０に一体化されてもよいし、電子機器２０とは別の装置であってもよい。表示出力装置７１は、例えば、例えば、ＬＣＤ（liquid crystal display）や、ＯＥＬＤ（organic electro-luminescent display）等である。
【００１２】
また、電子機器２０は、番組の録画の機能を有している。電子機器２０は、録画予約（録画の予約情報、録画の予約を示す情報）に対応して、番組（コンテンツ）のデータ（映像データや音声データ等）を記憶部８０に記憶することができる。また、電子機器２０の録画に関する情報（録画情報）のデータは、記憶部８０に記憶される。録画情報は、録画された番組の情報や、電子機器２０の識別情報、記憶部８０に録画可能であるか否かを示す情報等である。録画された番組の情報は、例えば、番組の識別ＩＤや、番組のチャンネル、放送される日時等である。録画可能であるか否かを示す情報は、例えば、録画可能時間や、フラグ（録画不可能＝０、録画可能＝１）等である。記憶部８０は、不揮発性の記憶部であって、一例としては、ＨＤＤ（hard disk drive）やＳＳＤ（solid state drive）等である。記憶部８０は、電子機器２０に含まれてもよいし、電子機器２０とは別の装置であってもよい。なお、録画に関する情報のデータと、番組（コンテンツ）のデータ（コンテンツに対応したデータ）とは、相異なる記憶部に記憶されてもよい。
【００１３】
さらに、電子機器２０は、他の装置（一例としては、番組表サーバ１０等）からの要求に対応して、録画情報（のデータ）を当該他の装置に向けて送信することができる。
【００１４】
電子機器３０は、通信ネットワーク６０を介して、番組表の元となるデータを受信する。電子機器３０は、番組表を表示するよう表示部３３を制御したり、表示部３３に番組表のデータ（表示用のデータ）を送ったりすることができる。表示部３３は、番組表を表示することができる。電子機器３０は、例えば、パーソナルコンピュータ（例えば、タブレット型のコンピュータ等）や、スマートフォン、携帯電話機、ＰＤＡ（personal digital assistant）、ゲーム機等である。図１では、電子機器３０は、タブレット型のコンピュータとして例示されている。電子機器３０は、携帯情報端末、通信機器、遠隔機器の一例である。
【００１５】
また、番組表サーバ１０は、コンピュータとして構成され、ＣＰＵ（central processing unit）や、コントローラ、記憶部、入力部、出力部、通信部１２等を備える。記憶部は、例えば、ＲＡＭ（random access memory）や、ＲＯＭ（read only memory）、ＨＤＤ、ＳＳＤ等である。記憶部には、情報記憶部１３が含まれる。情報記憶部１３には、番組情報や、録画情報、番組スコア情報、条件情報、番組表情報等のデータが記憶される。番組スコア情報は、番組関連情報の一つであり、例えば、番組の人気度や重要度等を、所定の規則にしたがって数値化した情報（数値）である。番組スコア情報の値（数値）は、例えば、番組の人気度や重要度が高いほど高い。条件情報は、番組の選択の基準となる情報である。具体的に、番組情報の条件を示す情報は、例えば、番組の属性を示す情報や、番組のジャンルを示す情報（例えば、ニュース、スポーツ、ドラマ等）、番組スコア情報の値の範囲を示す情報、時刻（例えば、仮想チャンネルの設定開始時刻）を示す情報、時間帯を示す情報、番組数を示す情報等である。仮想チャンネルの設定開始時刻は、予め設定されていてもよいし、番組表ＰＴのアプリケーションが電子機器３０で起動された時刻でもよい。情報記憶部１３は、不揮発性の記憶部であって、例えば、ＨＤＤやＳＳＤ等である。入力部（図示されず）は、例えば、タッチパネルやキーボード等である。出力部（図示されず）は、例えば、表示部や、スピーカ等である。ＣＰＵは、ロードされたプログラム（例えば、ＯＳ（operating system）や、アプリケーション、ウエブアプリケーション等）にしたがって、種々の演算処理を実行することができる。本実施形態では、一例として、プログラムにしたがったＣＰＵ等の処理によって、図２に示される制御部１１（番組情報取得部１１ａや、番組情報取得部１１ｂ、録画情報取得部１１ｃ、番組スコア取得部１１ｄ、条件情報取得部１１ｅ、選択部１１ｆ、決定部１１ｇ、番組表情報出力部１１ｈ、重複情報出力部１１ｉ等）が機能する。
【００１６】
また、電子機器３０は、コンピュータとして構成され、ＣＰＵや、コントローラ、記憶部、入力部、出力部、通信部３４等を備える。記憶部は、例えば、ＲＡＭや、ＲＯＭ、ＨＤＤ、ＳＳＤ等である。記憶部には、情報記憶部３５が含まれる。情報記憶部３５には、条件情報（設定情報）や、録画情報、番組表情報等のデータが記憶される。情報記憶部３５は、不揮発性の記憶部であって、例えば、ＨＤＤやＳＳＤ等である。入力部は、例えば、タッチパネル３２やキーボード（図示されず）等である。出力部は、例えば、表示部３３や、スピーカ（図示されず）等である。表示部３３（第一の表示部、例えばディスプレイパネル）は、例えば、ＬＣＤや、ＯＥＬＤ等である。ＣＰＵは、ロードされたプログラム（例えば、ＯＳ（operating system）や、アプリケーション、ウエブアプリケーション等）にしたがって、種々の演算処理を実行することができる。本実施形態では、一例として、プログラムにしたがったＣＰＵ等の処理によって、図３に示される制御部３１（表示制御部３１ａ、入力情報取得部３１ｂ、情報出力部３１ｃ、番組表情報取得部３１ｄ、録画情報取得部３１ｅ、番組表画像構成部３１ｆ、予約指示部３１ｇ）が機能する。
【００１７】
また、図示しないが、電子機器２０も、コンピュータとして構成され、ＣＰＵや、コントローラ、記憶部、入力部、出力部、通信部等を備える。記憶部は、例えば、ＲＡＭや、ＲＯＭ、ＨＤＤ、ＳＳＤ等である。電子機器２０は、図３に示される電子機器３０と同様の構成（表示制御部３１ａ、入力情報取得部３１ｂ、情報出力部３１ｃ、番組表情報取得部３１ｄ、録画情報取得部３１ｅ、番組表画像構成部３１ｆ、予約指示部３１ｇ）の全部あるいは一部ならびにそれらに対応した機能を有することができる。
【００１８】
番組表サーバ１０や、電子機器２０、電子機器３０等のプログラムは、それぞれインストール可能な形式又は実行可能な形式のファイルでＣＤ−ＲＯＭ（compact disc ＲＯＭ）や、ＦＤ（flexible disc）、ＣＤ−Ｒ（ＣＤ recordable）、ＤＶＤ（digital versatile disc）等の、コンピュータで読み取り可能な記録媒体に記録されて提供されうる。また、プログラムは、通信ネットワークに接続されたコンピュータの記憶部に記憶し、ネットワーク経由でダウンロードすることによって導入されうる。また、プログラムは、ＲＯＭ等に予め組み込まれてもよい。
【００１９】
番組表サーバ１０において、番組情報取得部１１ａは、例えば、番組情報サーバ４０から、放送される予定の番組（放送番組）の番組情報のデータを得る。番組情報には、例えば、番組のＩＤ、番組のタイトル、番組の号数、番組の放送日時、番組の説明、チャンネル番号、チャンネル名、チャンネルロゴ、放送局名等が含まれる。取得された番組情報等のデータは、情報記憶部１３に記憶される。番組情報取得部１１ａは、取得部の一例である。なお、放送番組の番組情報のデータは、仲介装置（仲介事業者の装置）等を経由して取得することも可能である。
【００２０】
また、番組情報取得部１１ｂは、例えば、番組情報サーバ５０から、通信ネットワーク６０を介して配信される番組（配信番組）の番組情報のデータを得る。番組情報には、例えば、番組のＩＤ、番組のタイトル、番組の号数、番組の説明、ＶＯＤプロバイダ名等が含まれる。取得された番組情報等のデータは、情報記憶部１３に記憶される。番組情報取得部１１ｂも、取得部の一例である。なお、配信番組の番組情報のデータも、仲介装置（仲介事業者の装置）等を経由して取得することが可能である。
【００２１】
また、録画情報取得部１１ｃは、例えば、電子機器２０から、録画情報のデータを得る。取得された録画情報のデータは、電子機器２０の識別情報のデータに対応付けて、情報記憶部１３に記憶される。また、番組スコア取得部１１ｄは、例えば、番組情報サーバ４０，５０から、番組スコア情報のデータを取得する。また、条件情報取得部１１ｅは、例えば、電子機器３０から、条件情報のデータを得る。
【００２２】
また、選択部１１ｆは、例えば、番組情報取得部１１ａや番組情報取得部１１ｂによって取得された番組情報と、条件情報取得部１１ｅによって取得された条件情報とを比較し、複数の番組の中から、条件に合った番組（条件情報に合致した番組情報を有した番組）を選択する。具体的に、例えば、条件情報が「ドラマ」のジャンルを示す情報であって、放送時間帯を指定する情報であった場合、選択部１１ｆは、複数の番組の中から、指定された放送時間中に放送される「ドラマ」の番組を選択する。条件情報は、一例としては、ユーザの嗜好に応じた情報であったり、ユーザが設定した情報であったりすることができる。
【００２３】
また、決定部１１ｇは、例えば、仮想チャンネルのタイムテーブルを決定する。仮想チャンネルは、電子機器３０の表示部３３や電子機器２０の表示出力装置７１で表示される番組表ＰＴ（図９等参照）で、放送チャンネル毎に番組が時間軸（図５〜９では左右方向、右側ほど時間が遅い）に沿って帯状に配置される表示欄Ｆ２と平行に配置される仮想チャンネルの表示欄Ｆ１（第一の表示欄）を構成する、番組の配列である。この仮想チャンネルは、予め指定された条件に合った番組の中から番組表サーバ１０が演算処理して提示する、お薦め番組の視聴時間付きのリスト（タイムテーブル）であると言うことができる。放送番組が含まれる表示欄Ｆ１に対応した仮想チャンネルでは、条件情報で定められている時間帯の中で、選択部１１ｆで選択した放送番組が優先的に配置され、放送番組の間の空いた時間に、ＶＯＤの配信番組や、録画された番組等が配置されうる。また、ＶＯＤに対応した仮想チャンネルでは、条件情報で定められている時間帯の中で、選択部１１ｆで選択した配信番組が、スコア情報等に基づいて（例えば、スコアが高い順に）配置されうる。なお、配信番組や録画番組を配置する時間は、そのジャンルに応じて定めることができる。
【００２４】
また、本実施形態では、一例として、番組表情報出力部１１ｈは、少なくとも仮想チャンネルのタイムテーブル（仮想チャンネルの表示欄Ｆ１を表示するための番組情報）を含む番組表情報（番組表の元となる情報、番組表を表示するための情報）を、出力する。番組表情報出力部１１ｈから出力された番組表情報のデータは、電子機器２０や電子機器３０等へ送られる。番組表情報出力部１１ｈは、出力部（第一の出力部）の一例である。
【００２５】
ここで、本実施形態では、一例として、選択部１１ｆならびに決定部１１ｇは、条件に合った複数の番組であって少なくとも一部が並行して（重複して）放送される複数の番組がある場合に、それら複数の番組を選択して、仮想チャンネルに含めることができる。この場合には、図５〜９等に示されるように、番組表ＰＴの表示欄Ｆ１に、少なくとも一部が並行して放送される複数の番組がある旨の表示要素Ｉｍ１〜Ｉｍ４が含まれる。また、本実施形態では、一例として、複数の番組が重複していることに対応した表示態様（例えば表示要素Ｉｍ１〜Ｉｍ４）を、番組表サーバ１０（の例えば決定部１１ｇ）が決定することができる。また、この場合に、決定部１１ｇは、電子機器３０での入力操作によって番組表ＰＴに付加されたり、電子機器３０での入力操作によって番組表ＰＴ中で変化したりする画像や情報を、構成することができる。そして、複数の番組が重複していることに対応した表示要素Ｉｍ１〜Ｉｍ４のデータや、番組表ＰＴに付加されたり番組表ＰＴ中で変化したりする表示要素Ｉｍ３，Ｉｍ４（画像、表示領域、図７，８等参照）は、例えば、番組表情報出力部１１ｈならびに通信部１２の動作によって、番組表情報のデータとともにあるいは番組表情報のデータとは別に、電子機器２０や電子機器３０等へ送られる。また、本実施形態では、別の一例として、複数の番組が重複していることに対応した表示態様（例えば表示要素Ｉｍ１〜Ｉｍ４）を、電子機器３０の番組表画像構成部３１ｆ（図３参照）が構成することができる。この場合、番組表画像構成部３１ｆは、一つの仮想チャンネルに含まれる複数の番組の時間の情報が重複していた場合に、複数の番組が重複していることに対応した表示態様を含む番組表ＰＴの画像を構成する。
【００２６】
また、本実施形態では、一例として、選択部１１ｆならびに決定部１１ｇは、配信番組の仮想チャンネル（図９の表示欄Ｆ３に対応した仮想チャンネル）を構成するにあたり、当該配信番組の仮想チャンネル（表示欄Ｆ３）に、条件に合った複数の配信番組を、各配信番組の時間長より短い時間間隔で含めることができる。さらに、選択部１１ｆならびに決定部１１ｇは、配信番組の仮想チャンネル（表示欄Ｆ３）に、複数の配信番組を、一定の時間間隔で含めることができる。
【００２７】
また、本実施形態では、一例として、重複情報出力部１１ｉは、放送番組の仮想チャンネルに関して少なくとも一部が並行して放送される複数の番組がある旨の情報（のデータ）を出力することができる。重複情報出力部１１ｉは、出力部（第二の出力部）の一例である。
【００２８】
電子機器３０において、表示制御部３１ａは、例えば、表示部３３に、番組表ＰＴ（図５〜９参照）等を表示するためのデータを送る。
【００２９】
また、入力情報取得部３１ｂは、ユーザによる入力部（例えば、タッチパネル３２）の操作に応じた情報を取得する。
【００３０】
また、情報出力部３１ｃは、入力情報取得部３１ｂで取得された情報のデータを出力する。また、通信部３４は、情報出力部３１ｃや予約指示部３１ｇで出力された情報のデータを番組表サーバ１０や電子機器２０等へ送信する。
【００３１】
また、番組表情報取得部３１ｄは、番組表サーバ１０から送信された番組表情報（のデータ）を取得する。また、録画情報取得部３１ｅは、電子機器２０から送信された録画情報（のデータ）を取得する。
【００３２】
また、番組表画像構成部３１ｆは、番組表情報取得部３１ｄで取得された番組表情報や、複数の番組が重複していることに対応した表示態様、録画情報取得部３１ｅで取得された録画情報等から、番組表の画像を構成する。この場合に、番組表ＰＴで表示される表示欄Ｆ１〜Ｆ３の数や、時間帯の長さに応じて、番組表ＰＴの大きさや表示態様が適宜に調整される。また、番組表画像構成部３１ｆは、入力情報取得部３１ｂでユーザの入力操作が取得された場合の、当該入力操作に応じて付加される（例えば出現する）表示要素Ｉｍ３（画像、図７参照）や、変化する（例えば拡大する）表示要素Ｉｍ４（画像、図８参照）等も、構成することができる。
【００３３】
また、予約指示部３１ｇは、入力情報取得部３１ｂや番組表情報取得部３１ｄで取得された情報に基づいて、電子機器２０に録画予約や視聴予約を指示する情報（のデータ）を出力する。録画予約や視聴予約を指示する情報には、例えば、電子機器２０の識別情報や、電子機器３０の識別情報、番組の識別情報等が含まれる。
【００３４】
ここで、図４を参照して、番組表が表示される処理の手順の一例が説明される。図４の処理手順は、一例としては、電子機器３０で、番組表を表示するアプリケーションが起動された時点で開始されうる。この場合、電子機器３０から、番組表サーバ１０に、処理の開始を指示する情報（のデータ）が送信される。まず、番組情報取得部１１ａや番組情報取得部１１ｂ等が、放送される予定番組（放送番組）や通信ネットワーク６０を介して配信される番組（配信番組）の番組情報のデータを取得する（ステップＳ１１）。
【００３５】
次に、番組スコア取得部１１ｄは、番組スコア情報のデータを取得し（ステップＳ１２）、条件情報取得部１１ｅは、条件情報のデータを取得し（ステップＳ１３）、録画情報取得部１１ｃは、録画情報のデータを取得する（ステップＳ１４）。
【００３６】
次に、選択部１１ｆは、番組情報が取得された複数の番組の中から、番組の選択の条件に合った番組（条件情報に合致した番組情報を有した番組）を選択する（ステップＳ１５）。次に、決定部１１ｇは、仮想チャンネルのタイムテーブルを決定する（ステップＳ１６）。次に、番組表情報出力部１１ｈは、少なくとも仮想チャンネルのタイムテーブルを含む番組表情報を、出力する（ステップＳ１７）。番組表情報出力部１１ｈから出力された番組表情報のデータは、電子機器２０や電子機器３０等へ送られる。そして、電子機器３０の表示部３３や、電子機器２０の表示出力装置７１で、番組表ＰＴ（図５〜９参照）が表示される（ステップＳ１８）。
【００３７】
また、ステップＳ１５において少なくとも一部が並行して放送される複数の番組が選択されていた場合には（ステップＳ１９でＹｅｓ）、電子機器３０の表示部３３や、電子機器２０の表示出力装置７１で表示される番組表ＰＴには、少なくとも一部が並行して放送される複数の番組があることを示す表示が行われる（ステップＳ２０）。ステップＳ２０の表示に際しては、番組表サーバ１０から、電子機器３０や電子機器２０に向けて、表示を指示する旨の情報（のデータ）が送られる。この情報には、表示を実行するタイミング（時刻）を指示する情報も含まれる。電子機器３０や電子機器２０の制御部３１は、表示を指示する旨の情報を情報記憶部３５に記憶し、指定された時刻になった時点で、指示された内容の表示を実行する。また、ステップＳ１９でＮｏの場合には、少なくとも一部が並行して放送される複数の番組があることを示す表示は実行されない。
【００３８】
次に、図５〜９を参照して、番組表ＰＴの表示例について説明する。図５に示される番組表ＰＴには、仮想チャンネルの表示欄Ｆ１（第一の表示欄）のみが含まれている。上側の表示欄Ｆ１は、番組スコアが高い番組を含む仮想チャンネルである。下側の表示欄Ｆ１は、条件情報で指定されたジャンルの番組を含む仮想チャンネルである。仮想チャンネルには、複数の放送チャンネルの番組が配置される。
【００３９】
ここで、図５に示されるように、表示欄Ｆ１には、少なくとも一部が並行して放送される複数の番組があることを示す表示要素Ｉｍ１（本実施形態では、一例として斜線）が含まれている。この表示要素Ｉｍ１により、ユーザは、少なくとも一部が並行して放送される複数の番組があることを視覚的に認識することができる。また、図６では、図５とは異なる態様の表示要素Ｉｍ２（本実施形態では、一例として折れ曲がった線）が例示されている。
【００４０】
図７には、番組表ＰＴが表示された状態でのユーザによるタッチパネル３２等の入力部の操作によって、少なくとも一部が並行して放送される複数の番組の一方の表示要素（例えば、番組の枠内の領域や文字等）が選択された場合に、当該一方の番組情報を示す表示要素Ｉｍ３（画像、例えば、ポップアップ画像）が表示された場合が例示されている。並行して放送される複数の番組がある場合には、番組表ＰＴの表示欄Ｆ１における番組の表示領域が狭くなりやすく、当該表示領域内に提示できる番組情報の情報量が減りやすい。この点、表示要素Ｉｍ３を表示することにより、番組情報の情報量が増大しやすい。図７の表示要素Ｉｍ３は、例えば、入力情報取得部３１ｂや、番組表画像構成部３１ｆ、表示制御部３１ａ等（図３参照）の処理に基づいて、表示することができる。
【００４１】
さらに、図７の例では、表示要素Ｉｍ３中に、録画予約を実行するための（指示を受け付ける）表示要素Ｉｍ５（画像、図７では、一例としてボタン）が含まれている。この場合には、ユーザの入力操作によって表示要素Ｉｍ５が選択されると、当該選択された表示要素Ｉｍ５に対応した放送番組の録画予約が実行される。これにより、少なくとも一部が並行して放送される複数の番組のうち少なくとも一つの録画予約を実行することができる。
【００４２】
図８では、番組表ＰＴが表示された状態でのユーザによるタッチパネル３２等の入力部の操作によって、少なくとも一部が並行して放送される複数の番組の一方の表示要素（例えば、番組の枠内の領域や文字等）が選択された場合に、当該一方の番組情報を示す表示要素Ｉｍ４（画像、領域）が、他方の番組情報の表示領域まで拡大された場合が例示されている。なお、表示要素Ｉｍ４が拡大していることは、図６と比較すれば明らかである。
【００４３】
また、図９には、仮想チャンネルの表示欄Ｆ１とともに、放送番組の表示欄Ｆ２、ならびに配信番組の表示欄Ｆ３が示されている。これにより、ユーザは、仮想チャンネルの表示欄Ｆ１には含まれていない放送番組の番組情報や、配信番組の番組情報を知ることができる。さらに、図９の例では、配信番組の表示欄Ｆ３では、複数の番組情報（の表示要素）が、各配信番組の時間長より短い時間間隔で、かつ一定の時間間隔で含まれている。これにより、ユーザは、視聴時間をより自由に設定しやすい配信番組については、一度により多くの配信番組の番組情報を視認することができる。なお、配信番組の表示欄Ｆ３では、配信番組の時間長で、複数の番組情報が含まれてもよい。また、配信番組の表示欄Ｆ３では、配信番組のジャンルに応じて、配信番組を表示する時間帯を設定する（異ならせる）ことができる。具体的には、例えば、ホラー映画等の子どもの視聴に適さない配信番組の番組情報は、深夜（夜）の時間帯に表示され、子ども向けのアニメ等の配信番組の番組情報は、朝や昼の時間帯に表示されることができる。
【００４４】
また、図１０には、電子機器２０の表示出力装置７１に、番組表の仮想チャンネルにおいて少なくとも一部が並行して放送される複数の番組がある旨の情報を示す表示要素Ｉｍ６（画像）が表示された場合が例示されている。さらに、図１０の例では、表示要素Ｉｍ６中に、録画予約を実行するための（指示を受け付ける）表示要素Ｉｍ５（ボタン、画像）が含まれている。この場合には、ユーザの入力操作によって表示要素Ｉｍ５が選択されると、当該選択された画像に対応した放送番組の録画予約が実行される。これにより、少なくとも一部が並行して放送される複数の番組のうち少なくとも一つの録画予約を実行することができる。
【００４５】
以上説明したように、本実施形態では、一例として、複数のチャンネルから選択の条件に応じて選択された少なくとも一つの放送番組の情報がその放送時間に応じて配置された仮想チャンネルの表示欄Ｆ１（第一の表示欄）が、表示部３３（第一の表示部）で表示される。よって、本実施形態によれば、例えば、番組の人気度や重要度、あるいはユーザの嗜好等に合った番組が、番組表ＰＴに設定された仮想チャンネルの表示欄Ｆ１にまとめて表示される。すなわち、本実施形態によれば、一例としては、ユーザにとってより便利な番組表ＰＴを提供することができる。
【００４６】
また、本実施形態では、一例として、仮想チャンネルの表示欄Ｆ１には、少なくとも一部が同じ時間に並行して放送される複数の番組があることを示す表示要素Ｉｍ１〜Ｉｍ４が含まれる。よって、本実施形態によれば、一例としては、ユーザは、少なくとも一部が同じ時間に並行して放送される複数の番組があることを認識しやすい。また、ユーザにとっては、視聴する番組の選択肢が増える。
【００４７】
また、本実施形態では、一例として、番組を表示する表示出力装置７１（第二の表示部）に、少なくとも一部が同じ時間に並行して放送される複数の番組がある旨が表示される。よって、本実施形態によれば、一例としては、ユーザは、少なくとも一部が同じ時間に並行して放送される複数の番組があることをより一層認識しやすい。また、ユーザにとっては、視聴する番組の選択肢がより一層増える。
【００４８】
また、本実施形態では、一例として、番組表ＰＴには、配信番組の情報が各番組の時間長より短い時間間隔で配置された表示欄Ｆ３（第二の表示欄）が含まれる。よって、本実施形態によれば、一例としては、ユーザは、視聴時間をより自由に設定しやすい配信番組については、一度により多くの配信番組の番組情報を視認することができる。
【００４９】
以上、本発明の実施形態ならびに変形例を例示したが、上記実施形態ならびに変形例はあくまで一例であって、発明の範囲を限定することは意図していない。これら実施形態ならびに変形例は、その他の様々な形態で実施されることが可能であり、発明の要旨を逸脱しない範囲で、種々の省略、置き換え、組み合わせ、変更を行うことができる。これら実施形態やその変形例は、発明の範囲や要旨に含まれるとともに、請求の範囲に記載された発明とその均等の範囲に含まれる。また、本発明は、構成要素（ステップ）によって得られる基本的な結果（効果）によってもたらされる種々の効果も奏することができる。また、上述した効果は一例である。また、各構成要素のスペックは、適宜に変更して実施することができる。例えば、上記実施形態の電子機器３０や電子機器２０が、番組表サーバ１０に替わって電子機器として機能することができる。また、種々の形態の表示要素（線、枠、領域、画像、マーク、図柄、模様、文字、アイコン等）を用いることができる。
【図１】
0005876072.tif 000002
【図２】
0005876072.tif 000003
【図３】
0005876072.tif 000004
【図４】
0005876072.tif 000005
【図５】
0005876072.tif 000006
【図６】
0005876072.tif 000007
【図７】
0005876072.tif 000008
【図８】
0005876072.tif 000009
【図９】
0005876072.tif 000010
【図１０】
0005876072.tif 000011